(57)【特許請求の範囲】
【請求項１】
複数の記録ヘッドが被記録材の幅方向に所定ピッチで配列されているヘッド列を、前記被記録材の送り方向に前記記録ヘッドの配列位相をずらして複数組配列して成るラインヘッドと、
前記ラインヘッドに対して所定のギャップを隔てて対向配置されているプラテンと、
前記被記録材を前記プラテン上に吸着するために該プラテンに設けられる複数の吸着部とを備え、
前記吸着部は、
前記ヘッド列が作るラインに沿う位置であり、前記ラインヘッドの前記幅方向における記録可能領域内の位置であり、更に前記各記録ヘッドの側傍の位置に対応するプラテン上の位置に設けられ、
前記複数組配列されたヘッド列間のスペースに対向するプラテン上の位置には設けられていないことを特徴とする記録装置。
【請求項２】
請求項１に記載の記録装置において、
前記ラインヘッドを成す前記記録ヘッドは千鳥配置されており、前記吸着部は前記記録ヘッドと逆配置の千鳥配置で設けられていることを特徴とする記録装置。
【請求項３】
請求項１または２に記載の記録装置において、
前記プラテンには前記記録ヘッドと対向する位置に、該記録ヘッドのヘッド面を被覆するためのキャップ部の出入りを許容するキャップ部用開口が設けられていることを特徴とする記録装置。
【請求項４】
請求項１〜３のいずれか１項に記載の記録装置において、
前記複数組配列されたヘッド列間のスペースに設けられ、前記プラテン上の被記録材をニップして搬送するための中間ローラと、
前記プラテンの、前記中間ローラと対応する位置に設けられた中間ローラ用開口と、を備えていることを特徴とする記録装置。
【請求項５】
請求項４に記載の記録装置において、
前記中間ローラは、前記被記録材の送り方向における下流側に位置する前記複数の各吸着部に対応する位置に配設されていることを特徴とする記録装置。
【請求項６】
請求項１〜５のいずれか１項に記載の記録装置において、
前記吸着部は、
被記録材の送り方向に延びるリブと、
該リブの両側に設けられる凹陥部及びその下方の薄肉部と、
該凹陥部及び薄肉部の外方に設けられる厚肉部と、
前記薄肉部及び前記厚肉部に設けられる複数の吸引孔とを備えており、
前記リブと前記厚肉部の上面は、前記プラテンの他の部位の上面と面一に形成されていることを特徴とする記録装置。
【請求項７】
被記録材の幅方向に沿ってライン配列をなす記録ヘッドからなる第１のヘッド列と、
前記第１のヘッド列に対して千鳥配列をなす記録ヘッドからなる第２のヘッド列と、
前記第１および第２の記録ヘッド列に対向して配置されたプラテンであって、
被記録材の幅方向に沿ってライン配列をなす吸着部からなる第１の吸着部列と、
前記第１の吸着部列に対して千鳥配列をなす吸着部からなる第２の吸着部列と、
を有するプラテンと、を備え、
第１の吸着部列における少なくとも一の前記吸着部は、前記第１のヘッド列の記録ヘッド間のスペースに対向して設けられており、
第２の吸着部列における少なくとも一の前記吸着部は、前記第２のヘッド列の記録ヘッド間のスペースに対向して設けられており、
前記第１のヘッド列と前記第２のヘッド列との間のスペースに対向するプラテン上の位置には吸着部が設けられていないことを特徴とする記録装置。
【発明の詳細な説明】
【技術分野】
【０００１】
本発明は、複数の記録ヘッドが被記録材の幅方向に所定ピッチで配列されているヘッド列を、前記被記録材の送り方向に前記記録ヘッドの配列位相をずらして複数組配列して成るラインヘッドと、前記ラインヘッドに対して所定のギャップを隔てて対向配置されているプラテンと、前記被記録材を前記プラテン上に吸着するために該プラテンに設けられる複数の吸着部とを備えた記録装置に関する。
【背景技術】
【０００２】
以下、記録装置の一例であるインクジェット式のラインプリンタを例に採って説明する。ラインプリンタには、被記録材の幅方向に複数の記録ヘッドが配列された構造のインヘッドが搭載されているものがある。特に工業用のインクジェット式のラインプリンタになると数十個にも及ぶ記録ヘッドが設けられており、これらの記録ヘッドが被記録材の幅方向に所定ピッチで配列されてヘッド列を構成し、更にこのヘッド列を被記録材の送り方向に複数組配列することで一つのラインヘッドが構成されている。
【０００３】
前記ラインヘッドの下方には、所定のギャップを隔てて被記録材の下面を支えて該被記録材の搬送を案内するプラテンと、記録実行停止時やヘッド回復処理時等において各記録ヘッドのノズル開口面を被覆するキャップ部を備えたキャッピング装置等が設けられている。
【０００４】
一方、シリアルプリンタには、キャリッジによって被記録材の幅方向に往復移動可能な可動式の記録ヘッドが搭載されている。該記録ヘッドの下方の記録実行領域には、所定のギャップを隔てて被記録材の下面を支えて該被記録材の送りを案内するプラテンが設けられている。該記録ヘッドの下方の記録実行領域外となるホームポジション側の領域には、記録実行停止時やヘッド回復処理時等において、記録ヘッドのノズル開口面であるヘッド面を被覆するキャップ部を備えたキャッピング装置等が設けられている。また、前記シリアルプリンタの中には、下記の特許文献１に示すように多数の吸引口が整列配置されたプラテンを備えるものがあり、プラテン上を送られる被記録材の浮きを前記吸引口の部分で吸着することによって防止できるようにしている。
【特許文献１】特開２００３−２４６５２４号公報
【発明の開示】
【発明が解決しようとする課題】
【０００５】
しかし、複数個の記録ヘッドによって一つのヘッド列が構成され、複数組の前記ヘッド列によって一つのラインヘッドが構成される前記ラインプリンタの場合には、先ず上流側のヘッド列で幅方向において所定ピッチ毎に部分的な記録が実行され、続く下流側のヘッド列で残りの部分に記録が実行されて幅方向の記録が完成する。そのため、上流側のヘッド列による記録が実行された段階では、被記録材はインクで塗れた部分と塗れていない部分とが幅方向に交互に存在する状態となる。従って、インクで塗れて膨潤する部分と、乾いたままの部分とが混在することになり、下流側のヘッド列まで送られて前記残りの記録が実行される際に、被記録材とヘッド面との距離（ペーパーギャップ）に、バラツキが発生し易い問題があった。
【０００６】
前記プラテンに前記吸引口を整列配置し、この吸引口で被記録材をプラテン上に吸引吸着することが考えられるが、そうした場合でも、インクで塗れた部分と塗れていない部分とでは吸引による吸着力に差が出る。従って、下流側のヘッド列によって前記残りの記録が実行される際には、同様に前記ペーパーギャップがバラツキ易い問題があった。
【０００７】
また、ラインプリンタの場合、シリアルプリンタと違って各記録ヘッドの位置が固定であるため、前記キャッピング装置は各記録ヘッドと対向する位置にそれぞれ配列されることになる。そのため、前記プラテンの全領域に前記吸引口を配設することができない事情もある。
【０００８】
本発明の課題は、上流側のヘッド列による記録が実行された段階で、被記録材がインクで塗れた部分と塗れていない部分とが混在する状態となっても、下流側のヘッド列で残りの記録を実行する際に、被記録材とヘッド面との距離（ペーパーギャップ）にバラツキが発生し難い、すなわち、上流側のヘッド列と下流側のヘッド列で前記ペーパーギャップをほぼ同じにすることができる記録装置を提供することにある。
【課題を解決するための手段】
【０００９】
前記課題を解決するための本発明の第１の態様に係る記録装置は、複数の記録ヘッドが被記録材の幅方向に所定ピッチで配列されているヘッド列を前記被記録材の送り方向に前記記録ヘッドの配列位相をずらして複数組配列して成るラインヘッドと、前記ラインヘッドに対して所定のギャップを隔てて対向配置されているプラテンと、前記被記録材を前記プラテン上に吸着するために該プラテンに設けられる複数の吸着部とを備え、前記吸着部は、前記ヘッド列が作るラインに沿う位置であり、前記ラインヘッドの前記幅方向における記録可能領域内の位置であり、更に前記各記録ヘッドの側傍の位置に対応するプラテン上の位置に設けられていることを特徴とするものである。
【００１０】
すなわち、本発明では、ラインヘッドは複数の記録ヘッドが被記録材の幅方向に所定ピッチで配列されているヘッド列を前記被記録材の送り方向に前記記録ヘッドの配列位相をずらして複数組配列して成り、更に吸着部が前記ラインヘッドの前記記録可能領域内の位置であって、前記各記録ヘッドの側傍の位置に対応するプラテン上の位置に設けられていることにより、当該吸着部もまた同様に各ヘッド列毎に配列位相がずれて配列されていることが特徴である。この特徴により以下の作用効果が得られる。
【００１１】
本態様によれば、上流側のヘッド列による記録が実行された段階で、被記録材がインクで塗れた部分と塗れていない部分とが混在する状態になるが、その際、吸着部による被記録材に対する吸引作用は、記録ヘッドの前記側傍の部分では行われるが、記録ヘッドが対向する部分では被記録材は吸引力を受けないフリーな状態である。そのため、インクに塗れた部分はフリー状態で膨潤することができ、一方インクで塗れていない部分は吸着部で吸引拘束される。その結果、各吸着部のピッチに対応する規則性をもってコックリングが形成される。
【００１２】
続いて、被記録材が下流側のヘッド列まで送られると、前記各記録ヘッド及び各吸着部の配列位相のずれによって、前記吸着部の吸引力を受ける位置と吸引力を受けないフリーの位置とが前記位相のずれ分だけ移動することになる。すなわち、上流側のヘッド列に対向する位置と下流側のヘッド列に対向する位置とで、吸着部による被記録材の吸引吸着位置を、前記位相のずれ分だけ異ならせて上流側から下流側に被記録材の受け渡しを行うことができる。その結果、コックリングの位相（山と谷のサイクル）は前記吸着部の位相のずれ分、ずれるが、コックリングの規則性は維持される。
【００１３】
従って、上流側のヘッド列による記録が実行された段階で、被記録材がインクで塗れた部分と塗れていない部分とが混在する状態となっても、下流側のヘッド列で残りの記録を実行する際に、被記録材とヘッド面との距離（ペーパーギャップ）に、バラツキが発生し難くく、上流側のヘッド列と下流側のヘッド列で前記ペーパーギャップをほぼ同じにして記録を実行することができる。これにより、各ヘッド列の各記録ヘッドで記録した箇所の画質にムラが発生しないようにすることができる。
【００１４】
本発明の第２の態様は、前記第１の態様に係る記録装置において、前記ラインヘッドを成す前記記録ヘッドは千鳥配置されており、前記吸着部は前記記録ヘッドと逆配置の千鳥配置で設けられていることを特徴とするものである。
【００１５】
本態様によれば、被記録材の幅方向に現れるコックリングの山と谷が上流側のヘッド列に対向する位置と下流側のヘッド列に対向する位置とで前記吸着部の千鳥配置構造に基づく半ピッチ異ならせて上流側から下流側に被記録材の受け渡しを行うことができる。即ち、上流側及び下流側の各ヘッド列の各記録ヘッドによる記録実行時の前記ペーパーギャップが前記コックリンの規則性が維持されることで、ほぼ一定となり、各ヘッド列の各記録ヘッドで記録した箇所の画質にムラが発生しないようにすることができる。
【００１６】
本発明の第３の態様は、前記第１の態様または第２の態様に係る記録装置において、前記プラテンには前記記録ヘッドと対向する位置に、該記録ヘッドのヘッド面を被覆するためのキャップ部の出入りを許容するキャップ部用開口が設けられていることを特徴とするものである。
【００１７】
本態様によれば、ラインヘッドに対するキャッピング動作が可能になり、画像形成停止時や記録ヘッドの回復処理時に行う記録ヘッドのノズル開口のクリーニングや目詰まりの除去等の作業が可能になる。
【００１８】
本発明の第４の態様は、前記第１の態様から第３の態様のいずれか一つの記録装置において、前記複数組配列されたヘッド列間のスペースに設けられ、前記プラテン上の被記録材をニップして搬送するための中間ローラと、前記プラテンの、前記中間ローラと対応する位置に設けられた中間ローラ用開口とを備えていることを特徴とするものである。
【００１９】
本態様によれば、中間ローラの存在によって各ヘッド列間のスペースにおいて生ずる被記録材の浮き上りを該中間ローラのニップによって防止できるためプラテン上を搬送される被記録材の姿勢をプラテン上のすべての範囲に亘って安定させることができる。
【００２０】
本発明の第５の態様は、前記第４の態様の記録装置において、前記中間ローラは、前記被記録材の送り方向における下流側に位置する前記複数の各吸着部に対応する位置に配設されていることを特徴とするものである。
【００２１】
本態様によれば、前記中間ローラは、前記被記録材の送り方向における下流側に位置する前記複数の各吸着部に対応する位置に配設されているので、下流側の吸着部による吸引吸着を確実に行わせて、コックリングの位相をずらしつつ、その規則性を維持することができる。
【００２２】
本発明の第６の態様は、前記第１の態様から第５の態様のいずれか一つの記録装置において、前記吸着部は、被記録材の送り方向に延びるリブと、該リブの両側に設けられる凹陥部及びその下方の薄肉部と、該凹陥部及び薄肉部の外方に設けられる厚肉部と、前記薄肉部及び前記厚肉部に設けられる複数の吸引孔とを備えており、前記リブと前記厚肉部の上面は、前記プラテンの他の部位の上面と面一に形成されていることを特徴とするものである。
【００２３】
本態様によれば、薄肉部と厚肉部に設けられる複数の吸引孔と、リブの両側に設けられる凹陥部の存在によってプラテンに対する被記録材の確実な吸着が図れ、被記録材の浮き上りを防止することができる。また、被記録材の下面はリブと厚肉部の上面に密着する面接触での吸着となるため搬送途中の被記録材の傾き（スキュー）や接地面の滑りによって発生する送り量のロスが生じない。またリブと厚肉部の上面はプラテンの他の部位の上面と面一になっており、吸引口と凹陥部を設けることで被記録材とプラテンとの接触面積が小さくなって被記録材の搬送負荷が軽減されるから被記録材の円滑な安定した搬送も実現される。
【００２４】
本発明の第７の態様は、被記録材の幅方向に沿ってライン配列をなす記録ヘッドからなる第１のヘッド列と、前記第１のヘッド列に対して千鳥配列をなす記録ヘッドからなる第２のヘッド列と、前記第１および第２の記録ヘッド群に対向して配置されたプラテンであって、被記録材の幅方向に沿ってライン配列をなす吸着部からなる第１の吸着部列と、前記第１の吸着部列に対して千鳥配列をなす吸着部からなる第２の吸着部列と、を有するプラテンと、を備え、第１の吸着部列における少なくとも一の前記吸着部は、前記第１のヘッド列の記録ヘッド間のスペースに対向して設けられており、第２の吸着部列における少なくとも一の前記吸着部は、前記第２のヘッド列の記録ヘッド間のスペースに対向して設けられていることを特徴とする。
【発明を実施するための最良の形態】
【００２５】
以下、本願発明に係る記録装置について説明する。最初に本願発明の記録装置を実施するための最良の形態として複数の記録ヘッド３が被記録材（以下用紙ともいう）Ｐの幅方向Ｂに所定ピッチａで配列されているヘッド列５を用紙Ｐの送り方向Ａに位相をずらして複数組配列したラインヘッド７を備えたインクジェットプリンタ１００を採り上げて、その全体構成の概略を簡単に説明する。
【００２６】
図１はインクジェットプリンタの内部構造の概略を示す側断面図、図２はインクジェットプリンタの内部構造の概略を示す平面図、また図３は記録ヘッドの配列とノズル開口の配置を示す平面図である。インクジェットプリンタ１００には、用紙Ｐを保持、搬送する搬送系の装置９と、該搬送系の装置９によって保持、搬送された用紙Ｐの被記録面に対して記録を実行して画像を形成する記録実行系の装置１１とが設けられている。搬送系の装置９は、給送部１３、搬送部１５及び排出部１７とに分類され、給送部１３では給送ユニット１９によって給送用カセット２１内に積畳状態でセットされている用紙Ｐが最上位の用紙Ｐから順番に１枚ずつ繰り出されるようになっている。
【００２７】
給送部１３から繰り出された用紙Ｐは、搬送部１５に至り、二組のニップローラによって構成されている補助ローラ２３、２５を経て、同じく一組のニップローラによって構成されている搬送用ローラ２７に導かれる。そして、搬送用ローラ２７からの搬送力を受けて用紙Ｐは記録ポジション２９に供給され、被記録材の搬送案内装置１によって下面が支えられた状態で下流に向けて案内され、上方から前記記録実行系の装置１１の主要な構成部材である記録ヘッド３のノズル開口面４から各色のインクが吐出されて所望の画像が形成される。
【００２８】
また、画像が形成された用紙Ｐは排出部１７に至り、駆動ローラ７１、従動ローラ７３及びテンションローラ７５間にベルト７７が巻回されたベルト搬送ユニット７９によって外部に排出される。尚、図１中、符号８１で示す部材は静電吸着機構であり、ベルト搬送ユニット７９に供給された用紙Ｐは、前記静電吸着機構８１によって発生された静電気によってベルト７７の表面に吸着された状態で搬送される。
【００２９】
また、図示のインクジェットプリンタ１００には、記録実行系の装置１１としてラインヘッド７が設けられており、該ラインヘッド７には上流位置Ｃに３つの記録ヘッド３が配置されてヘッド列５Ａが形成され、距離Ｌ下流に移動した下流位置Ｄには４つの記録ヘッド３が配置されてヘッド列５Ｂが形成されている。尚、ヘッド列５Ａとヘッド列５Ｂは、共にピッチａの間隔で記録ヘッド３が配置されている。更に、ヘッド列５Ａとヘッド列５Ｂでは、半ピッチａ／２だけ位相をずらした状態で記録ヘッド３が配列されている。また、各記録ヘッド３には、図３に示すように、一例として用紙Ｐの幅方向Ｂに８個、用紙Ｐの送り方向Ａに４列、計３２個のノズル開口４０Ｙ、４０Ｍ、４０Ｃ、４０Ｋが設けられており、用紙Ｐの送り方向Ａの上流側の列から順番に「ブラック」のインクを吐出するノズル開口４０Ｋ、「シアン」のインクを吐出するノズル開口４０Ｃ、「マゼンタ」のインクを吐出するノズル開口４０Ｍ、そして「イエロー」のインクを吐出するノズル開口４０Ｙの各列になるように一例として配列されている。また、各記録ヘッド３における用紙Ｐの幅方向Ｂの端部に位置するノズル開口４０は、ヘッド列５Ａとヘッド列５Ｂとで互いにオーバーラップするような配置で一例として設けられている。
【００３０】
［実施例］
次に、本発明の実施例について図面に基づいて具体的に説明する。  
図４は本発明の記録装置の要部を示す平面図と被記録材のコックリングの様子を併せ示す正面図、図５はプラテンの吸着部に接続されるダクトと負圧室の構造を示す斜視図である。また図６は図４中のＡ−Ａ断面図、図７は図６中の一部の吸着部を拡大して示す断面図である。
【００３１】
本実施例に係る記録装置は、前記ラインヘッド７の全体のサイズとほぼ同サイズのプラテン３７を備えている。該プラテン３７には、前記ヘッド列５Ａ、５Ｂと対向する位置であって、前記記録ヘッド３の存しない記録ヘッド３の側傍位置３９と対向する位置に、吸着部４２、４３が複数組（本実施例では７組）配列されている。具体的には、図４に示すように、プラテン３７の上流位置Ｃに４組の吸着部４２ａ、４２ｂ、４２ｃ、４２ｄが前記記録ヘッド３と同じピッチａの間隔で配列されており、プラテン３７の下流位置Ｄに３組の吸着部４３ａ、４３ｂ、４３ｃが同じくピッチａの間隔で配列されている。
【００３２】
そして、前記記録ヘッド３は、ヘッド列５Ａとヘッド列５Ｂとで半ピッチａ／２ずらして配列されていることに伴って千鳥配置されており、前記７組の吸着部４２、４３も、前記記録ヘッド３の千鳥配置に対応して該記録ヘッド３と逆配列の千鳥配置で配列されている。
【００３３】
また、図７に示すように、吸着部４２、４３は、用紙Ｐの送り方向Ａに延びるリブ４５を中央に備え、該リブ４５の左右に凹陥部４７、４９とを備えている。また、凹陥部４７、４９の下方に薄肉部５１、５３が備えられており、前記凹陥部４７、４９と薄肉部５１、５３の外方に厚肉部５５、５７が備えられている。そして、前記薄肉部５１、５３に対して２個ずつ吸引孔５９が設けられており、前記厚肉部５５、５７に対して３個ずつ吸引孔５９が設けられている。また、前記リブ４５と厚肉部５５、５７の上面は、プラテン３７の他の部位の上面とほぼ面一になるように形成されている。
【００３４】
そして、図５、図６に示すように、７組の吸着部４２、４３の下方には、７本の角筒状のダクト３２、３３が接続されている。尚、これら７本のダクト３２、３３を区別する場合には、上流位置Ｃに配列されている４組の吸着部４２ａ、４２ｂ、４２ｃ、４２ｄに接続されるダクトをそれぞれ３２ａ、３２ｂ、３２ｃ、３２ｄとし、下流位置Ｄに配列されている３組の吸着部４３ａ、４３ｂ、４３ｃに接続されるダクトをそれぞれ３３ａ、３３ｂ、３３ｃとする。また、前記７本のダクト３２、３３の下端の開口部は、矩形平板状の中空の負圧室３４に接続されており、該負圧室３４には負圧室３４内の空気Ｇを外部に排気することで、負圧室３４及び前記ダクト３２、３３の雰囲気を負圧にする吸引ファン３５が接続されている。
【００３５】
また、前記プラテン３７には、前記７つの記録ヘッド３と対向する位置に同じく７つのキャップ部用開口６１が設けられている。該キャップ部用開口６１は、記録ヘッド３のノズル開口面４を非記録時において被覆するためのキャップ部６３の出入りを許容する開口になっており、前記記録ヘッド３より一回り大きな矩形状の角穴によって構成されている。尚、キャップ部６３は、キャッピング装置の構成部材であり、図示しない駆動機構からの駆動力を受けて所定ストローク上下動できるようになっている。また、前記７つの記録ヘッド３、キャップ部用開口６１及びキャップ部６３を区別する場合には、上流位置Ｃに存するものを記録ヘッド３ａ、３ｂ、３ｃ、キャップ部用開口６１ａ、６１ｂ、６１ｃ及びキャップ部６３ａ、６３ｂ、６３ｃとし、下流位置Ｄに存するものを記録ヘッド３ｄ、３ｅ、３ｆ、３ｇ、キャップ部用開口６１ｄ、６１ｅ、６１ｆ、６１ｇ及びキャップ部６３ｄ、６３ｅ、６３ｆ、６３ｇとして識別する。
【００３６】
また、ヘッド列５Ａ、５Ｂ間のスペースＳには、前記プラテン３７上の用紙Ｐをニップして搬送するための一対のニップローラによって構成されている５組の中間ローラ６５ａ、６５ｂ、６５ｃ、６５ｄ、６５ｅが設けられている。中間ローラは、前記被記録材Ｐの送り方向における下流側に位置する前記複数の各吸着部４２ａ，４３ｂ，４３ｃに対応する位置に配設されている。そして、前記プラテン３７には、前記５組の中間ローラ６５ａ、６５ｂ、６５ｃ、６５ｄ、６５ｅと対応する位置に、該中間ローラ６５ａ、６５ｂ、６５ｃ、６５ｄ、６５ｅとの干渉を避けるための前記中間ローラ６５ａ、６５ｂ、６５ｃ、６５ｄ、６５ｅより一回り大きな３つのローラ用開口６７ａ、６７ｂ、６７ｃと、２つのローラ用切欠き６８ａ、６８ｂとが設けられている。
【００３７】
次に、このようにして構成される本発明の記録装置の作動態様を説明する。図１に示す搬送用ローラ２７によって記録ポジション２９に導かれた用紙Ｐは、プラテン３７の上面に当接し、プラテン３７上を滑るようにして上流位置Ｃに達する。上流位置Ｃに達すると吸引ファン３５によって生起された吸引風によって負圧室３４とダクト３２、３３内の雰囲気が負圧になる。吸引孔５９を介してプラテン３７上に位置している用紙Ｐは、吸着部４２においてプラテン３７の上面に密着し、図４中、右端に示すピッチａの規則的なコックリング状態が形成される。一方、キャップ部用開口６１が形成されている部位では、記録ヘッド３側に用紙Ｐは幾分浮上がった状態になるが、その浮上り量Ｈは極僅かであり、ヘッド擦れや画像品質の低下等の問題は生じない。
【００３８】
用紙Ｐが下流側に距離Ｌ／２搬送されると、中間ローラ６５によって上下から挟持されて搬送力を受けるようになる。この位置では、中間ローラ６５の挟持力によって用紙Ｐの浮き上りが防止されている。更に、用紙Ｐが下流側に距離Ｌ／２搬送されると、用紙Ｐは下流位置Ｄに達する。下流位置Ｄに達すると吸引ファン３５によって生起された吸引風によって、プラテン３７上に位置している用紙Ｐは、吸着部４３においてプラテン３７の上面に密着し、図４中、左端に示すピッチａの規則的なコックリング状態が形成される。
【００３９】
尚、下流位置Ｄでの用紙Ｐのコックリング状態は、前記上流位置Ｃでの用紙Ｐのコックリング状態と半ピッチａ／２だけ位相がずれているから、用紙Ｐの送り方向Ａから見た見掛け上の用紙Ｐの吸着部４２、４３の位置は、ａ／２ピッチとなり、吸着力が増大して用紙Ｐの姿勢がより安定した状態になる。また、上流位置Ｃと下流位置Ｄにおける吸着部４２、４３の相乗的作用によって、用紙Ｐの浮上り量Ｈも低く抑えられる。以下、用紙Ｐは吸着部４２、４３の位置を交互に変えながら、規則的なコックリング状態を維持しつつ、排出部１７に向けてプラテン３７上を円滑かつ安定した状態で搬送されて行く。
【００４０】
［他の実施例］
本願発明に係る記録装置１００は、以上述べたような構成を基本とするものであるが、本願発明の要旨を逸脱しない範囲内の部分的構成の変更や省略等を行うことも勿論可能である。
【００４１】
例えば、記録装置１００の給送部１３の構成は、給送用カセットに限らず、傾斜姿勢で設けられる給送用トレイでもよく、給送部１３と搬送用ローラ２７までの距離が短い場合には補助ローラ２３、２５を省略することも可能である。更に、排出部１７に設けたベルト搬送ユニット７９に代えて一対のニップローラによって構成される排出用ローラを適用することも可能である。
【００４２】
また、吸着部４２、４３の数と配置は、記録ヘッド３の数と配置に対応して種々変更でき、例えば記録ヘッド３が３列以上の複数列設けられている場合には、吸着部４２、４３も前記記録ヘッド３に対応して３列以上設けることが可能である。また、この場合には必ずしも吸着部４２、４３の配列が千鳥配置になるとは限らないが、ヘッド列５が少しずつ位相をずらせることによって、前記千鳥配置と同等、あるいはそれ以上の用紙Ｐの浮上り量Ｈの減少と円滑な用紙Ｐの搬送とが図られる。
【００４３】
また、吸着部４２、４３において設けたリブ４５、凹陥部４７、４９、薄肉部５１、５３、厚肉部５５、５７及び吸引孔５９の数、大きさ、形状ないし配置は、前記実施例のものに限らず種々変更でき、種々の構成の吸着部４２、４３が採用可能である。この他、本発明の記録装置はラインプリンタに限らず、同様のラインヘッド７を備えた他の種々の記録装置１００に適用可能である。
【図面の簡単な説明】
【００４４】
【図１】本発明に係り、インクジェットプリンタの内部構造の概略を示す側断面図。
【図２】同インクジェットプリンタの内部構造の概略を示す平面図。
【図３】同プリンタの記録ヘッドの配列とノズル開口の配置を示す平面図。
【図４】同プリンタの要部を示す平面図。
【図５】プラテンの吸着部に接続されるダクトと負圧室を示す斜視図。
【図６】図４中のＡ−Ａ断面図。
【図７】図６中の一部の吸着部を拡大して示す断面図。
【符号の説明】
【００４５】
１  搬送案内装置、３  記録ヘッド、４  ノズル開口面、５  ヘッド列、７  ラインヘッド、９  搬送系の装置、１１  記録実行系の装置、１３  給送部、１５  搬送部、１７  排出部、１９  給送ユニット、２１  給送用カセット、２３  補助ローラ、２５  補助ローラ、２７  搬送用ローラ、２９  画像形成ポジション、３２  ダクト、３３  ダクト、３４  負圧室、３５  吸引ファン、３７  プラテン、３９  側傍位置、４０  ノズル開口、４２  吸着部、４３  吸着部、４５  リブ、４７  凹陥部、４９  凹陥部、５１  薄肉部、５３  薄肉部、５５  厚肉部、５７  厚肉部、５９  吸引孔、６１  キャップ部用開口、６３  キャップ部、６５  中間ローラ、６７  ローラ用開口、６８  ローラ用切欠き、７１  駆動ローラ、７３  従動ローラ、７５  テンションローラ、７７  ベルト、７９  ベルト搬送ユニット、８１  静電吸着機構、１００  インクジェットプリンタ（記録装置）、Ａ  送り方向、Ｂ  幅方向、Ｐ  用紙（被記録材）、ａ  ピッチ、Ｃ  上流位置、Ｄ  下流位置、Ｌ  距離、Ｇ  空気、Ｓ  スペース、Ｈ  浮上り量
【図１】
0005099338.tif 000002
【図２】
0005099338.tif 000003
【図３】
0005099338.tif 000004
【図４】
0005099338.tif 000005
【図５】
0005099338.tif 000006
【図６】
0005099338.tif 000007
【図７】
0005099338.tif 000008